(57)【特許請求の範囲】
【請求項１】
リモコンからの信号（第１の領域のリモコン信号）を受信する受信部と、
画像を表示する表示パネルと、
前記表示パネルに重ね合わされ、入力２次元座標値信号を出力するタッチパネルと、
前記入力２次元座標値信号に基づいて前記第１の領域とは重複しない第２の領域のリモコン信号を生成するリモコン信号生成部と、
前記受信部もしくは前記リモコン信号生成部からのリモコン信号を解析し、入力されたリモコン信号が前記第１の領域のリモコン信号と前記第２の領域のリモコン信号のいずれであるかを判定するコード解析器と、
前記コード解析器が、前記入力されたリモコン信号は前記第１の領域のリモコン信号であると判定する場合、前記入力されたリモコン信号に従ってリモコン操作処理を行うリモコン操作処理部と、
前記コード解析器が、前記入力されたリモコン信号は前記第２の領域のリモコン信号であると判定する場合、前記入力されたリモコン信号に従ってタッチパネル操作処理を行うタッチパネル操作処理部とを備え、
前記リモコン信号は、第１の１バイトデータと第２の１バイトデータとを含み、前記第１の領域は、前記第１の１バイトデータと前記第２の１バイトデータとを成分とする２次元座標系における対角線上の点の集合として定義され、
前記対角線の第１の端点は、前記第１の１バイトデータの最小値と前記第２の１バイトデータの最大値とを成分とし、前記対角線の第２の端点は、前記第１の１バイトデータの最大値と前記第２の１バイトデータの最小値とを成分とするリモコン信号使用装置。
【請求項２】
前記第１の領域の信号において、前記第２の１バイトデータは、前記第１の１バイトデータの誤り訂正に使用される請求項１記載のリモコン信号使用装置。
【請求項３】
前記第２の領域の信号において、前記第１の１バイトデータと前記第２の１バイトデータとの組に、タッチパネルの入力２次元座標値が含められる請求項１記載のリモコン信号使用装置。
【請求項４】
前記第２の領域の信号はケーブルにより伝送される請求項３記載のリモコン信号使用装置。
【請求項５】
タッチパネルの入力２次元座標値は、予め定められた特殊座標値とならないように補正され、前記特殊座標値は、前記第２の領域の信号がタッチパネル操作入力に割り当てられていることを通知するために使用される請求項１記載のリモコン信号使用装置。
【請求項６】
前記特殊座標値は、前記タッチパネルの周縁部の座標値である請求項５記載のリモコン信号使用装置。
【請求項７】
前記特殊座標値は、前記タッチパネルの電源投入時に使用される請求項５記載のリモコン信号使用装置。
【請求項８】
リモコンからの信号（第１の領域のリモコン信号）を受信する受信部と、
画像を表示する表示パネルと、
前記表示パネルに重ね合わされ、入力２次元座標値信号を出力するタッチパネルと、
前記入力２次元座標値信号に基づいて前記第１の領域とは重複しない第２の領域のリモコン信号を生成するリモコン信号生成部と、
前記受信部もしくは前記リモコン信号生成部からのリモコン信号を解析し、入力されたリモコン信号が前記第１の領域のリモコン信号と前記第２の領域のリモコン信号のいずれであるかを判定するコード解析器と、
前記コード解析器が、前記入力されたリモコン信号は前記第１の領域のリモコン信号であると判定する場合、前記入力されたリモコン信号に従ってリモコン操作処理を行うリモコン操作処理部と、
前記コード解析器が、前記入力されたリモコン信号は前記第２の領域のリモコン信号であると判定する場合、前記入力されたリモコン信号に従ってタッチパネル操作処理を行うタッチパネル操作処理部とを備え、
前記リモコン信号は、第１の１バイトデータと第２の１バイトデータとを含み、前記第１の領域は、前記第１の１バイトデータと前記第２の１バイトデータとを成分とする２次元座標系における対角線上の点の集合として定義され、
前記対角線の第１の端点は、前記第１の１バイトデータの最小値と前記第２の１バイトデータの最大値とを成分とし、前記対角線の第２の端点は、前記第１の１バイトデータの最大値と前記第２の１バイトデータの最小値とを成分とするカーナビゲーション装置。
【請求項９】
画像を表示する表示パネルと、
前記表示パネルに重ね合わされ、入力２次元座標値信号を出力するタッチパネルと、
前記入力２次元座標値信号に基づいて、リモコン信号においてリモコン操作入力用に確保されている第１の領域と重複しない第２の領域のリモコン信号を生成するリモコン信号生成部とを備え、
前記リモコン信号は、第１の１バイトデータと第２の１バイトデータとを含み、前記第１の領域は、前記第１の１バイトデータと前記第２の１バイトデータとを成分とする２次元座標系における対角線上の点の集合として定義され、
前記対角線の第１の端点は、前記第１の１バイトデータの最小値と前記第２の１バイトデータの最大値とを成分とし、前記対角線の第２の端点は、前記第１の１バイトデータの最大値と前記第２の１バイトデータの最小値とを成分とする表示装置。
【請求項１０】
リモコン信号においてリモコン操作入力用に確保されている第１の領域の信号をリモコン操作入力に割り当て、
前記リモコン信号においてリモコン操作入力用に確保されず前記第１の領域と重複しない第２の領域の信号をタッチパネル操作入力に割り当て、
前記リモコン信号は、第１の１バイトデータと第２の１バイトデータとを含み、前記第１の領域は、前記第１の１バイトデータと前記第２の１バイトデータとを成分とする２次元座標系における対角線上の点の集合として定義され、
前記対角線の第１の端点は、前記第１の１バイトデータの最小値と前記第２の１バイトデータの最大値とを成分とし、前記対角線の第２の端点は、前記第１の１バイトデータの最大値と前記第２の１バイトデータの最小値とを成分とするリモコン信号使用装置。
【発明の詳細な説明】
【技術分野】
【０００１】
本発明は、リモコン信号使用装置及び方法及びカーナビゲーション装置に関し、特に、リモコン信号をリモコン操作入力とタッチパネル操作入力とに共用する技術に関するものである。
【背景技術】
【０００２】
従来より、リモコン操作入力に対応したカーナビゲーション装置が知られている。そして、リモコン操作入力だけでなく、表示パネルにタッチパネルを重ね合わせてタッチパネル操作入力を行えるようにしたカーナビゲーション装置が、実用化されつつある。
【０００３】
このようなカーナビゲーション装置では、システム側においてリモコン操作入力とタッチパネル操作入力を、それぞれ区別し処理しなければならない。
【０００４】
従来のリモコンインタフェースを持つカーナビゲーション装置の本体に、タッチパネルが重ね合わされた表示装置を接続するには、カーナビゲーション装置の本体と表示装置との間において、リモコンインタフェースとは別の新たなインタフェース（タッチパネル操作入力を処理するインターフェイス）を設ける必要がある。
【０００５】
ところが、このようにすると、インターフェイスが増え、接続が煩雑になり、コスト高をまねく。
【０００６】
特許文献１（特開平２−２１９０８３号公報）は、所定時間タッチパネル操作入力がないときは、タッチパネルを利用するソフトキーを消去する技術を開示する。特許文献２（特開２００５−１２８７９１号公報）は、ソフトキーを表示しているとき、リモコン操作入力があると、表示内容をリモコン操作用のものに切り替える技術を開示する。
【０００７】
しかしながら、これらの文献記載の技術においても、別の新たなインターフェースを設けなければならない点では、かわりない。
【０００８】
さらに、これらの文献記載の技術によっても、リモコン操作入力の処理とタッチパネル操作入力の処理とを、カーナビゲーション装置それ自体が主体的に切り替えることができない。言い換えれば、ユーザが何らかの意図を持って操作ないし不操作しなければ、表示内容を切り替えることができない。
【０００９】
例えば、特許文献１によれば、ユーザは、タッチパネル操作からリモコン操作へ切り替えるためには、所定時間何もせず待つ必要がある。特許文献２では、操作切り替えのためだけに、リモコン操作入力をしなければならない。
【特許文献１】特開平２−２１９０８３号公報
【特許文献２】特開２００５−１２８７９１号公報
【発明の開示】
【発明が解決しようとする課題】
【００１０】
そこで本発明は、インターフェイスの増設が不要で、しかもユーザが操作しなくても適切に表示を切り替え得るリモコン信号使用装置及び方法及びその関連技術を提供することを目的とする。
【課題を解決するための手段】
【００１１】
第１の発明に係るリモコン信号使用装置では、リモコンからの（第１の領域のリモコン信号）を受信する受信部と、画像を表示する表示パネルと、表示パネルに重ね合わされ、入力２次元座標値信号を出力するタッチパネルと、入力２次元座標値信号に基づいて第１の領域とは重複しない第２の領域のリモコン信号を生成するリモコン信号生成部と、受信部もしくはリモコン信号生成部からのリモコン信号を解析し、入力されたリモコン信号が第１の領域のリモコン信号と第２の領域のリモコン信号のいずれであるかを判定するコード解析器と、コード解析器が、入力されたリモコン信号は第１の領域のリモコン信号であると判定する場合、入力されたリモコン信号に従ってリモコン操作処理を行うリモコン操作処理部と、コード解析器が、入力されたリモコン信号は第２の領域のリモコン信号であると判定する場合、入力されたリモコン信号に従ってタッチパネル操作処理を行うタッチパネル操作処理部とを備える。
【００１２】
この構成により、リモコン信号をリモコン操作入力だけでなく、タッチパネル操作入力にも共用することができる。したがって、タッチパネル操作入力専用のインターフェイスを増設する必要がなく、コスト増を抑制できる。また、リモコン操作入力に対応するカーナビゲーション装置にタッチパネル操作入力機能を追加する場合、制御プログラムの変更あるいは回路の若干の変更のみで、基本的に対応できるので、非常に好都合である。
【００１３】
第１、第２の領域のいずれの信号であるかを解析すれば、カーナビゲーション装置は、自主的に表示内容を切り替えることができる。つまり、ユーザは、表示内容の切り替えのためだけの操作をする必要がなく、操作性を向上できる。
【００１４】
第２の発明に係るリモコン信号使用装置では、第１の発明に加え、リモコン信号は、第１の１バイトデータと第２の１バイトデータとを含み、第１の領域は、第１の１バイトデータと第２の１バイトデータとを成分とする２次元座標系における対角線上の点の集合として定義され、対角線の第１の端点は、第１の１バイトデータの最小値と第２の１バイトデータの最大値とを成分とし、対角線の第２の端点は、第１の１バイトデータの最大値と第２の１バイトデータの最小値とを成分とする。
【００１５】
この構成により、第１、第２の領域を明確に区別できると共に、第２の領域を広く取ることができ、その結果、十分な量の情報を第２の領域の信号を用いて伝送できる。
【００１６】
第３の発明に係るリモコン信号使用装置では、第２の発明に加え、第１の領域の信号において、第２の１バイトデータは、第１の１バイトデータの誤り訂正に使用される。
【００１７】
この構成により、無線通信を行うリモコン操作入力における伝送誤りを、第２の１バイトデータを用いて訂正できる。
【００１８】
第４の発明に係るリモコン信号使用装置では、第２の発明に加え、第２の領域の信号において、第１の１バイトデータと第２の１バイトデータとの組に、タッチパネルの入力２次元座標値が含められる。
【００１９】
第５の発明に係わるリモコン信号使用装置では、第４の発明に加え、第２の領域の信号はケーブルにより伝送される。
【００２０】
この構成により、第１の１バイトデータと第２の１バイトデータとの組により、タッチパネルの入力２次元座標値を表現できる。この場合、第２バイト目は誤り訂正に使用できないが、第２の領域の信号はケーブルにより伝送されるため、誤り訂正は事実上不要であって、何ら支障なくデータを伝送できる。
【００２１】
第６の発明に係るリモコン信号使用装置では、第１の発明に加え、タッチパネルの入力２次元座標値は、予め定められた特殊座標値とならないように補正され、特殊座標値は、第２の領域の信号がタッチパネル操作入力に割り当てられていることを通知するために使用される。
【００２２】
この構成における補正により、特殊座標値とタッチパネルの２次元座標値とが重ならないように保証できるし、特殊座標値によりリモコン信号を受信する側へ第２の領域の信号がタッチパネル操作入力に割り当てられていることを通知できる。
【００２３】
第７の発明に係るリモコン信号使用装置では、第６の発明に加え、特殊座標値は、タッチパネルの周縁部の座標値である。
【００２４】
この構成により、ユーザが手で触れにくく事実上ほとんど使用されない座標値を特殊座標値に割り当てることができ、合理的に通信を行える。
【００２５】
第８の発明に係るリモコン信号使用装置では、第６の発明に加え、特殊座標値は、タッチパネルの電源投入時に使用される。
【００２６】
この構成により、リモコン信号を受信する側は、ユーザの操作なしに、自動的にタッチパネル操作入力がされうるのか否か判定できる。よって、ユーザの操作性が向上する。
【発明の効果】
【００２７】
本発明によれば、リモコン信号を、リモコン操作入力とタッチパネル操作入力とで共用するから、インターフェイスの増設する必要がなく、コスト増を抑制できる。また、ユーザは、表示内容の切り替えのためだけの操作をする必要がなく、操作性を向上できる。
【発明を実施するための最良の形態】
【００２８】
（実施の形態１）
以下図面を参照しながら、本発明の実施の形態を説明する。
【００２９】
図１は、本発明の実施の形態１におけるカーナビゲーション装置の外観図である。図１に示すように、本形態のカーナビゲーション装置は、本体１００と表示装置２００とに分離されている。
【００３０】
しかしながら、本体１００と表示装置２００とは、機械的に連結されていても差し支えない。リモコン操作入力のために、リモコン１が用意され、電源２は、カーナビゲーション装置が搭載される自動車のバッテリである。
【００３１】
本体１００と表示装置２００には、それぞれ接続端子４、３が設けられ、これらの接続端子４、３は、リモコン１によるリモコン信号を伝送するケーブル５により接続される。
【００３２】
しかしながら、本体１００と表示装置２００とは、電気的に接続されていれば良く、接続端子４、３やケーブル５による接続方法で無くても差し支えない。
【００３３】
表示装置２００の最前面には、タッチパネル操作入力により入力２次元座標値を示す信号を生成するタッチパネル２０９が配置され、その背後には、画像を表示する表示パネル２０６が配置される。表示パネル２０６の背後には、表示パネル２０６、タッチパネル２０９を透過するバックライト光を発する光源２０７が配置される。
【００３４】
タッチパネル２０９は、その奥にある表示パネル２０６の表示内容を良好に視認できるようにするため、透明又は半透明の材料で構成されることが望ましい。タッチパネル２０９は、接触位置の２次元（ＸＹ）座標値を十分な精度で検出できれば十分であり、その検出方式は任意である。例えば、電磁誘導式、電気抵抗式、静電容量式、感圧式等が好適である。
【００３５】
表示パネル２０６は、薄型の表示パネルであることが望ましい。例えば、液晶ディスプレイ、有機ＥＬ（エレクトロルミネセンス）ディスプレイ、プラズマディスプレイ及びＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）等が好適である。表示パネル２０６は、表現力を考慮すると、カラーディスプレイであることが望ましいが、白黒ディスプレイであっても原理的には差し支えなく、そうしても本発明に包含される。なお、表示パネルが自発光型であるときは、光源は省略できる。
【００３６】
次に、図２を参照しながら、本形態のカーナビゲーション装置の詳細な構成を説明する。図２は、本形態におけるカーナビゲーション装置のブロック図である。
【００３７】
本体１００は、次の要素を備える。制御部１０１は、本体１００全体を制御する。メモリ１０２は、制御部１０１が実行する制御プログラム（図８準拠）やその制御プログラムの実行に必要な情報を保持する。
【００３８】
インターフェイス１０３は、制御部１０１と、ドライブ１０５、ハードディスク１０４とを接続する。
【００３９】
ドライブ１０５は、ＤＶＤ（Ｄｉｇｉｔａｌ  Ｖｅｒｓａｔｉｌｅ  Ｄｉｓｋ）等の記録媒体１０６がセットされると、記録媒体１０６に記録された再生情報を再生する。ハードディスク１０４及び記録媒体１０６の一方又は双方には、地図情報が記録されている。
【００４０】
コード解析器１１０には、ケーブル５のうちリモコン信号通信線が接続され、コード解析器１１０は、ケーブル５からのリモコン信号を解析し、入力されたリモコン信号が第１の領域のリモコン信号と第２の領域のリモコン信号のいずれであるかを判定する。
【００４１】
また、コード解析器１１０は、第１の領域のリモコン信号について第１データフィールドの値を抽出し、第２の領域のリモコン信号について２次元座標値を抽出する。なお、第１、第２の領域、各データフィールドについては、後に詳述する。
【００４２】
入力されたリモコン信号は第１の領域のリモコン信号であると、コード解析器１１０が判定する場合、制御部１０１は、セレクタ１０９にリモコン操作処理部１０７を選択させ、入力されたリモコン信号に従ってリモコン操作処理を行うようリモコン操作処理部１０７に指示する。
【００４３】
その結果、リモコン操作処理部１０７は、リモコン操作処理を行い、画像信号（本例では、ＲＧＢ信号）と音声信号をセレクタ１０９に出力し、セレクタ１０９はこれを接続端子４、ケーブル５を介して表示装置２００の接続端子３へ接続する。
【００４４】
入力されたリモコン信号は第２の領域のリモコン信号であると、コード解析器１１０が判定する場合、制御部１０１は、セレクタ１０９にタッチパネル操作処理部１０８を選択させ、入力されたリモコン信号に従ってタッチパネル操作処理を行うようタッチパネル操作処理部１０８に指示する。
【００４５】
その結果、タッチパネル操作処理部１０８は、タッチパネル操作処理を行い、画像信号（本例では、ＲＧＢ信号）と音声信号をセレクタ１０９に出力し、セレクタ１０９はこれを接続端子４、ケーブル５を介して表示装置２００の接続端子３へ接続する。
【００４６】
なお、本発明はリモコン操作処理部１０７、タッチパネル操作処理部１０８の機能自体を骨子とするものではないので、ナビゲーション処理の詳細などの説明は省略する。
【００４７】
次に、表示装置２００は、次の要素を備える。電源２は、表示装置２００の電源スイッチ２０１に接続され、電源スイッチ２０１は、電源２を供給回路２０２に接続／切断する。電源スイッチ２０１がオンされると、供給回路２０２は、表示装置２００及び本体１００の各要素に所定の電力を供給する。
【００４８】
制御部２０３は、表示装置２００の各要素を制御する。Ａ／Ｄ変換器２０４は、接続端子３に画像信号が入力されると、これをアナログ／デジタル変換し、制御部２０３へ出力する。ドライバ２０５は、デジタル変換された画像信号により表示パネル２０６をドライブする。また、制御部２０３は、適宜光源点灯回路２０８の点灯状態を制御し、光源２０７は、表示パネル２０６へバックライト光を照射する。
【００４９】
なお、音声信号は、アンプ２１５により増幅されてから、スピーカ２１６により音に変換される。
【００５０】
受光部２１２は、リモコン１に臨み、リモコン１からの信号（例えば、赤外線、電波等）を受信する。Ａ／Ｄ変換器２１３は、受光部２１２が受信した信号をアナログ／デジタル変換し、復調器２１４へ出力する。
【００５１】
復調器２１４は、デジタル変換されたリモコン信号（第１の領域）を復調し、誤り訂正を加えた後、制御部２０３に復調が完了した旨通知すると共に、復調した第１の領域のリモコン信号をセレクタ２１１に出力する。受光部２１２、Ａ／Ｄ変換器及び復調器２１４は、本形態の受信部に相当する。
【００５２】
なお、リモコンからデジタルで信号を渡される場合もあるため、その場合はＡ／Ｄ変換器２１３は無くて良い。
【００５３】
制御部２０３は、復調器２１４から通知を受けると、セレクタ２１１に復調器２１４を選択させ、復調器２１４が復調した第１の領域のリモコン信号が、復調器２１４からセレクタ２１１、接続端子３、ケーブル５を介して、本体１００の接続端子４へ出力される。
【００５４】
表示パネル２０６に重ね合わされるタッチパネル２０９は、ユーザが指をふれると、入力２次元座標値信号をリモコン信号生成部２１０へ出力する。
【００５５】
リモコン信号生成部２１０は、後に詳述するように、入力２次元座標値信号に基づいて第１の領域とは重複しない第２の領域のリモコン信号を生成する。リモコン信号生成部２１０は、第２の領域のリモコン信号を生成すると、制御部２０３へその旨通知し、生成した第２の領域のリモコン信号をセレクタ２１１へ出力する。制御部２０３は、リモコン信号生成部２１０から通知を受けると、セレクタ２１１にリモコン信号生成部２１０を選択させ、その結果、第２の領域のリモコン信号がリモコン信号生成部２１０からセレクタ２１１、接続端子３、ケーブル５を介して、本体１００の接続端子４に出力される。
【００５６】
以上により、ケーブル５のリモコン信号線は、第１の領域のリモコン信号と第２の領域のリモコン信号とに共用されており、これらのリモコン信号が共通して流れる点が理解されよう。
【００５７】
次に、図３を参照しながら、第１の領域のリモコン信号について説明する。図３は、本形態におけるリモコン信号のデータ構成図である。図３に示すように、本例のリモコン信号は、９ｍｓ、４．５ｍｓの先頭部分に続いて、カスタムコードフィールド１０、第１データコードフィールド１１、第２データコードフィールド１２、エンドコードフィールド１３が、この順に配置されて構成される。
【００５８】
カスタムコードフィールド１０には、通常、会社名や製品コード等を示す値が格納される。
【００５９】
第１データコードフィールド１１には、リモコン操作内容を特定するデータコードが格納され、第２データコードフィールド１２には、第１データコードフィールド１１のデータコードのビット反転データが格納される。
【００６０】
このビット反転データは、第１データコードフィールド１１のデータコードの誤り訂正に使用される。例えば、第２データコードフィールド１２のビット反転データをさらにもう一度ビット反転したとき、第１データコードフィールド１１のデータコードと等しくなれば誤りなしとしてリモコン操作が処理される。なお、エンドコードフィールド１３には、第１の領域のリモコン信号の末尾を示すコードが格納される。
【００６１】
図４は、本形態におけるタッチパネル座標の説明図である。さて、本形態では、図４に示すように、タッチパネル２０９上のｘｙ座標をとり、ｘｙ座標の各値は８ビット精度であるとする。したがって、（ｘ，ｙ）＝（０，０）〜（２５５，２５５）となる。
【００６２】
ただし、ｙ＝２５５の場合を予約済みの特殊コードとして確保し、この座標にはｘｙ座標を格納しないことにする。そのため、ｘｙ座標値を、（ｘ，ｙ）＝（０，０）〜（２５５，２５５）という範囲から（ｘ，ｙ）＝（０，０）〜（２５４，２５４）という範囲へ補正する。
【００６３】
補正するには、値「２５５」を値「２５４」と見なす間引き処理によってもよいし、（ｘ，ｙ）＝（０，０）〜（２５５，２５５）という範囲からから（ｘ，ｙ）＝（０，０）〜（２５４，２５４）という範囲へ、各値を比例配分してもよい。
【００６４】
次に、図５、図６を参照しながら、第２の領域のリモコン信号について説明する。図５は、本形態におけるリモコン信号のデータ構成図である。図５を図３と比較すればわかるように、第２の領域のリモコン信号において、第１データコードフィールド１１、第２データコードフィールド１２の内容が第１の領域のリモコン信号（図３）のそれと異なるが、他のフィールドは同じである。
【００６５】
本例では、第１データコードフィールド１１には、補正された入力２次元座標値のｘ座標値を格納する。また、第２データコードフィールド１２には、このｘ座標値をビット反転した座標ｘ’とｙ座標値とオフセット値（本例では「１」であるが、適宜変更して良い。）との和「ｘ’＋ｙ＋１」を格納する。
【００６６】
図６は、本形態におけるリモコン信号の割当分布を示すグラフである。図６に示すように、第１データコードフィールド１１の値を横軸にとり、第２データコードフィールド１２の値を縦軸にとるとき、第１の領域のリモコン信号は、第１の端点（０，ＦＦ：１６進数）と第２の端点（ＦＦ：１６進数，０）とを結ぶ対角線上の点の集合として定義される。
【００６７】
逆に言えば、リモコン信号において、この対角線以外の領域（第２の領域）は使用されないものであり、これを本発明者らはタッチパネル操作入力へ活用できることを案出して本発明を完成するに至ったものである。
【００６８】
上述したところでは、第２データコードフィールド１２には、和「ｘ’＋ｙ＋１」を格納することとした。こうすれば、和「ｘ’＋ｙ＋１」は、ｘ座標値の反転データｘ’と等しくなることはない。
【００６９】
ここで、第２の領域が第１の領域に重複しなければ、第２の領域は任意に定義できる。例えば、第２データコードフィールド１２にｙ座標値をそのまま格納し、ｙ座標値がｘ座標値の反転データｘ’と等しくなってしまうときには、別途用意したテーブルで他の空き領域の値へ変更してもよいし、ｘｙ座標値を引けるインデックステーブルを別途設けるなど、種々変更することができる。このようにしても、本発明に包含される。
【００７０】
図７は、本形態における表示装置のフローチャートである。図７を参照しながら、本形態における表示装置２００の動作を説明する。
【００７１】
まず、電源スイッチ２０１がオンされると、供給回路２０２が電力供給を開始し、ステップ１にて、リモコン信号生成部２１０は座標（０，２５５）による予約済の特殊コードを含む第２の領域のリモコン信号を生成し、制御部２０３へ通知する。すると、ステップ２にて、制御部２０３は、セレクタ２１１にリモコン信号生成部２１０を選択させ、セレクタ２１１、接続端子３、ケーブル５を介して、本体１００の接続端子４に特殊コードを含む第２の領域のリモコン信号が出力される。
【００７２】
ステップ３にて、制御部２０３は、復調器２１４から通知を受けると、セレクタ２１１に復調器２１４を選択させ、セレクタ２１１から第１の領域のリモコン信号がセレクタ２１１、接続端子３、ケーブル５を介して、本体１００の接続端子４に出力され、処理はステップ５へ移る。ステップ３にて、制御部２０３は、復調器２１４から通知を受けなければ、そのまま処理はステップ５へ移る。
【００７３】
ステップ５にて、制御部２０３は、リモコン信号生成部２１０から通知を受けると、ステップ６にてリモコン信号生成部２１０はタッチパネル２０９からの入力２次元座標値による第２の領域のリモコン信号を生成し、ステップ７にて、制御部２０３は、セレクタ２１１にリモコン信号生成部２１０を選択させ、リモコン信号生成部２１０から第２の領域のリモコン信号がセレクタ２１１、接続端子３、ケーブル５を介して、本体１００の接続端子４に出力され、処理はステップ８へ移る。ステップ５にて、制御部２０３は、リモコン信号生成部２１０から通知を受けなければ、そのまま処理はステップ８へ移る。
【００７４】
ステップ８では、処理を終了する場合を除き、制御部２０３は、ステップ３へ処理を戻す。
【００７５】
図８は、本形態における本体のフローチャートである。図８を参照しながら、本形態における本体１００の動作を説明する。
【００７６】
まず、電源スイッチ２０１がオンされると、供給回路２０２が電力供給を開始し、ステップ１０にて、制御部１０１は、表示装置２００からリモコン信号が入力されるまで待つ。入力したら、ステップ１１にて、コード解析器１１０がリモコン信号を解析し、ステップ１２にて、制御部１０１は予約済の特殊コードを含む第２の領域のリモコン信号であるかどうかチェックする。
【００７７】
ステップ１２にて、もし予約済の特殊コードを含む第２の領域のリモコン信号でなければ、ステップ２０にて、本体１００は、表示装置２００が専用タッチモニタではないと判定し、以下、リモコン１によるリモコン操作処理のみを実施する。
【００７８】
即ち、リモコン信号（第１の領域のみ）が入力される都度、ステップ２１にて、制御部１０１はコード解析器１１０によるコード解析結果を参照し（ステップ２２）、セレクタ１０９にリモコン操作処理部１０７を選択させ、リモコン操作処理部１０７は入力されたリモコン信号によるリモコン操作処理を行い（ステップ２３）、その結果である画像信号と音声信号とが、セレクタ１０９、接続端子４、ケーブル５を介して、表示装置２００の接続端子３へ出力され、これらの信号が再生される。処理を終了すべき時まで、制御部１０１は、ステップ２１〜２４の処理を繰り返す。
【００７９】
ステップ１２にて、もし予約済の特殊コードを含む第２の領域のリモコン信号であれば、ステップ１３にて、本体１００は、表示装置２００が専用タッチモニタであると判定し、以下、リモコン１によるリモコン操作処理だけでなくタッチパネル２０９によるタッチ操作処理をも実施する。
【００８０】
即ち、ステップ１４にて、リモコン信号（第１、第２の領域のいずれもがあり得る。）が入力されると、ステップ１５にて、制御部１０１はコード解析器１１０によるコード解析結果を参照し入力されたリモコン信号が、第１の領域のリモコン信号か、あるいは第２の領域のリモコン信号かを、フォーマットによりチェックする（ステップ１６）。上述したように、第１、第２の領域は重複しないので、誤判定を心配する必要はない。以上の説明からわかるように、予約済の特殊コードは、機種判断用の情報でもある。
【００８１】
ステップ１６にて、第１の領域のリモコン信号ならば、ステップ１７にて、制御部１０１は、セレクタ１０９にリモコン操作処理部１０７を選択させ、リモコン操作処理部１０７は入力されたリモコン信号（第１の領域）によるリモコン操作処理を行い（ステップ１８）、その結果である画像信号と音声信号とが、セレクタ１０９、接続端子４、ケーブル５を介して、表示装置２００の接続端子３へ出力され、これらの信号が再生され、処理がステップ１９へ移る。
【００８２】
ステップ１６にて、第２の領域のリモコン信号ならば、ステップ１７にて、制御部１０１は、セレクタ１０９にタッチパネル操作処理部１０８を選択させ、タッチパネル操作処理部１０８は入力されたリモコン信号（第２の領域）によるタッチパネル操作処理を行い（ステップ１８）、その結果である画像信号と音声信号とが、タッチパネル操作処理部１０８、接続端子４、ケーブル５を介して、表示装置２００の接続端子３へ出力され、これらの信号が再生され、処理がステップ１９へ移る。
【００８３】
ステップ１９では、処理を終了すべき時まで、制御部１０１は、ステップ１４〜１９の処理を繰り返す。
【００８４】
（実施の形態２）
図９は、本発明の実施の形態２におけるカーナビゲーション装置のブロック図である。
【００８５】
図９に示すように、本形態のカーナビゲーション装置は、本体３００と表示装置４００とに分離されている。しかしながら、本体３００と表示装置４００とは、機械的に連結されていても差し支えない。
【００８６】
以下、実施の形態１からの相違点のみを説明する。本形態では、図９を図２と見比べればわかるように、受光部２１２、Ａ／Ｄ変換器２１３及び復調器２１４からなる受信部を表示装置４００ではなく、本体３００内に設けている。そのため、リモコン信号生成部２１０の出力は、セレクタを介さず、接続端子３のリモコン信号通信線に直に接続される。
【００８７】
また、本体３００において、コード解析器１１０の前段に、セレクタ３０１を設け、セレクタ３０１により復調器２１４が復調した第１の領域のリモコン信号と、接続端子４に入力されたリモコン信号とを、択一的に選択しコード解析器１１０へ入力することにしている。この選択は、制御部１０１がセレクタ３０１へ出力する指示信号により制御される。
【００８８】
その他の構成要素については、実施の形態１と同様である。また、本体３００の動作は、図８に示した実施の形態１における本体１００と同様であるので、説明を省略する。
【００８９】
図１０は、本発明の実施の形態２における表示装置のフローチャートである。図１０を参照しながら、本形態における表示装置４００の動作を説明する。受信部を本体３００に設けたので、図１０は図７よりもシンプルになっている。
【００９０】
まず、電源スイッチ２０１がオンされると、供給回路２０２が電力供給を開始し、ステップ３０にて、リモコン信号生成部２１０は座標（０，２５５）による予約済の特殊コードを含む第２の領域のリモコン信号を生成し、接続端子３、ケーブル５を介して、本体３００の接続端子４に特殊コードを含む第２の領域のリモコン信号が出力される。
【００９１】
ステップ３１にて、制御部２０３は、リモコン信号生成部２１０から通知を受けると、ステップ３２にてリモコン信号生成部２１０はタッチパネル２０９からの入力２次元座標値による第２の領域のリモコン信号を生成し、生成された第２の領域のリモコン信号が接続端子３、ケーブル５を介して、本体１００の接続端子４に出力され、処理はステップ３３へ移る。ステップ３３では、処理を終了する場合を除き、制御部２０３は、ステップ３１へ処理を戻す。
【産業上の利用可能性】
【００９２】
本発明に係るリモコン信号使用装置及び方法は、例えば、カーナビゲーション分野及びその関連分野において好適に利用できる。
【図面の簡単な説明】
【００９３】
【図１】本発明の実施の形態１におけるカーナビゲーション装置の外観図
【図２】本発明の実施の形態１におけるカーナビゲーション装置のブロック図
【図３】本発明の実施の形態１におけるリモコン信号のデータ構成図
【図４】本発明の実施の形態１におけるタッチパネル座標の説明図
【図５】本発明の実施の形態１におけるリモコン信号のデータ構成図
【図６】本発明の実施の形態１におけるリモコン信号の割当分布を示すグラフ
【図７】本発明の実施の形態１における表示装置のフローチャート
【図８】本発明の実施の形態１における本体のフローチャート
【図９】本発明の実施の形態２におけるカーナビゲーション装置のブロック図
【図１０】本発明の実施の形態２における表示装置のフローチャート
【符号の説明】
【００９４】
１  リモコン
２  電源
３、４  接続端子
５  ケーブル
１０  カスタムコードフィールド
１１  第１データコードフィールド
１２  第２データコードフィールド
１３  エンドコードフィールド
１００、３００  本体
１０１  制御部
１０２  メモリ
１０３  インターフェイス
１０４  ハードディスク
１０５  ドライブ
１０６  記録媒体
１０７  リモコン操作処理部
１０８  タッチパネル操作処理部
１０９、２１１、３０１  セレクタ
１１０  コード解析器
２００、４００  表示装置
２０１  電源スイッチ
２０２  供給回路
２０３  制御部
２０４  Ａ／Ｄ変換器
２０５  ドライバ
２０６  表示パネル
２０７  光源
２０８  光源点灯回路
２０９  タッチパネル
２１０  リモコン信号生成部
２１２  受光部
２１３  Ａ／Ｄ変換器
２１４  復調器
２１５  アンプ
２１６  スピーカ
【図１】
0004624930.tif 000002
【図２】
0004624930.tif 000003
【図３】
0004624930.tif 000004
【図４】
0004624930.tif 000005
【図５】
0004624930.tif 000006
【図６】
0004624930.tif 000007
【図７】
0004624930.tif 000008
【図８】
0004624930.tif 000009
【図９】
0004624930.tif 000010
【図１０】
0004624930.tif 000011